(57)【特許請求の範囲】
【請求項１】
アダプタ本体と、板状のアダプタラッチを備え、前記アダプタ本体内に設置されたアダプタスリーブとを有し、
フエルール、コネクタラッチ及びつまみ板状部を備えた光コネクタが前記アダプタ本体に挿入され、前記アダプタラッチの頭部が、前記つまみ板状部及び前記コネクタラッチの頭部を乗り越えて前記アダプタラッチの頭部に係合されて、前記光コネクタの接続がなされる光アダプタにおいて、
前記アダプタ本体に通過孔が設けられ、
連結子が前記光アダプタラッチの頭部と連動するようにして、かつ前記通過孔を通過して設けられ、
前記光コネクタが前記アダプタに挿入される際に、前記アダプタラッチの頭部が、前記光コネクタに設けたつまみ板状部に乗り上げ状態となって浮き上がり動作されて、または前記コネクタラッチの頭部に前記アダプタラッチの頭部が係合することなく頭部同士が当接したときに、前記コネクタラッチの頭部によって浮き上がり動作されて、前記連結子が前記アダプタラッチ浮き上がり動作量を機械的に回動増幅をさせ、該回動増幅した動作量の位置を表示すること
を特徴とする光アダプタ。
【請求項２】
請求項１記載の光アダプタにおいて、前記連結子が、浮き上がり動作方向に形成された第１の連結子部及び第１の連結子部に連動する第２の連結子部から構成され、第２の連結子部は、第１の連結子に対して所定の角度を持つことを特徴とする光アダプタ。
【請求項３】
請求項１記載の光アダプタにおいて、前記連結子が前記アダプタラッチとは別体にされて、第１の連結子部及び第１の連結子部に連動する第２の連結子部から構成され、第１の連結子部は、その先端が前記アダプタラッチに当接し、第２の連結子部が回転支点を備え、前記連結子が回転支点を中心として回動されるようにしたことを特徴とする光アダプタ。
【請求項４】
請求項３記載の光アダプタにおいて、前記連結子は、該連結子を常に前記アダプタラッチに押圧する力が作用する板ばねを備えることを特徴とする光アダプタ。
【請求項５】
請求項１から４のいずれかに記載の光アダプタおいて、前記連結子が前記回動増幅した動作量を示す先端に、異なった色彩の施された表示板を備え、前記連結子の回動に伴なって、該表示版の色彩を視認する表示窓が備えられたことを特徴とする光アダプタ。
【発明の詳細な説明】
【技術分野】
【０００１】
本発明は、光コネクタ連結用の光アダプタに関する。
【背景技術】
【０００２】
光通信システムにおいて、光ファイバケーブル同士、または光ファイバケーブルと機器を接続するために光コネクタとしての光アダプタが用いられる。
【０００３】
特許文献１には、一組のプラグを相互に接続するアダプタであって、プラグを固定するラッチを備え、該ラッチには、プラグとラッチとの嵌合状態をハウジングの外部から確認可能に突起が形成されたアダプタが記載されている。ここにいうアダプタは光アダプタのことである。
【０００４】
特許文献２には光パッチパネルが記載されている。
【先行技術文献】
【特許文献】
【０００５】
【特許文献１】特開２０１０−３８９８８号公報
【特許文献２】特開２００７−５７６４２号公報
【発明の概要】
【発明が解決しようとする課題】
【０００６】
特許文献１には、上述のようにラッチとの嵌合状態をハウジングの外部から確認可能に突起が形成されたアダプタが記載されている。また、この文献１には、突起にはマークが付されたり、あるいは窓部がレンズ部を含む透明部で覆われることが記載されている。
【０００７】
特許文献１に記載された技術によればラッチによる接続箇所の嵌合状態を直接確認できるメリットがある。しかしながら、嵌合状態の不成立の場合のラッチ動作量が０．８ｍｍといった極めて微少なときには、突起の動作を直接確認することは困難がある。突起の動作方向が目線の方向と一致するため、動作を確認することが一層困難である。窓部にレンズ部を含む透明部で覆うような構成にあっても突起の動作を直接確認することには困難があるといわざるを得ない。
【０００８】
特許文献２に記載された方法では部品点数が多く簡単構造というわけにはいかない。
【０００９】
本発明は、かかる点に鑑みてラッチの動作を簡便に増幅し、また、光アダプタの取り付け場所によっては斜め方向からも嵌合状態を視認できるようにして、またラッチの動作を接続工事時に目視を容易に確認できるようにして、係合状態の不成立、すなわち半挿といわれる状態で工事を終了するような場合や、接続工事後に誤ってコネクタつまみを引き、半挿状態となる接続不良事故の発生を防止することにある。
【課題を解決するための手段】
【００１０】
本発明は、アダプタ本体と、板状のアダプタラッチを備え、前記アダプタ本体内に設置されたアダプタスリーブとを有し、
フエルール及びコネクタラッチを備えた光コネクタが前記アダプタ本体に挿入され、該コネクタラッチの頭部が前記アダプタラッチの頭部に係合されて、前記光コネクタの接続がなされる光アダプタにおいて、
前記アダプタ本体に通過孔が設けられ、
連結子が前記光アダプタラッチの頭部と連動するようにして、かつ前記通過孔を通過して設けられ、
前記コネクタラッチの頭部に前記アダプタラッチの頭部が係合することなく頭部同士が当接して半挿しの状態となったときに、前記アダプタラッチの頭部が前記コネクタラッチの頭部によって浮き上がり動作されて、前記連結子が前記アダプタラッチ浮き上がり動作量を機械的に回動増幅をさせ、該回動増幅した動作量の位置を表示することを特徴とする光アダプタを提供する。
本発明は、また、前記連結子が、浮き上がり動作方向に形成された第１の連結子部と、浮き上がり動作方向とは動作方向を含む所定の角度方向を指向して前記アダプタラッチの動作量の１よりも大きい倍数の長さを持つ第２の連結子部とから構成されることを特徴とする光アダプタを提供する。
【００１１】
本発明は、また、前記連結子が第１の連結子部及び第２の連結子部から構成され、第１の連結子部が前記アダプタラッチに当接し、前記第２の連結子部が、回転支点を備え、前記アダプタラッチとは別体に形成されて、前記連結子が回転支点を中心として回動されるようにしたことを特徴とする光アダプタを提供する。
【００１２】
本発明は、また、前記連結子は、該連結子を常に前記アダプタラッチに押圧する力が作用する板ばねを備えることを特徴とする光アダプタを提供する。
【００１３】
本発明は、また、前記連結子が先端に、異なった色彩の施された表示板を備え、前記連結子の回動に伴なって、該表示版の色彩を視認する表示窓が備えられたことを特徴とする光アダプタを提供する。
【発明の効果】
【００１４】
本発明によれば、上述したように連結子が双方のラッチが係合したときと異なる半挿しの状態の位置であって、光コネクタラッチの浮き上がり動作量を機械的に回転増幅させ、該増幅した動作量の位置を表示するようにしているので、先コネクタの浮き上がりを機械的に簡便に増幅し、ラッチの動作を接続工事時に目視によって容易に確認できるので、半挿しといわれる係合状態の不成立で接続工事を終了させるといったことの防止に有効となる。
【図面の簡単な説明】
【００１５】
【図１】本発明の実施例の構造を示す横断面図。
【図２】本発明の実施例の外観を示す図。
【図３】本発明の実施例の他の外観を示す図。
【図４】本発明の実施例による連結子の動作を示す図。
【図５】本発明の他の実施例の構造を示す横断面図。
【図６】本発明の他の実施例による連結子の動作を示す図。
【図７】識別表示の例を示す図。
【図８】他の識別表示の例を示す図。
【図９】フェイスプレートに光アダプタを取り付けた例を示す図。
【発明を実施するための形態】
【００１６】
以下、本発明の実施例を図面に基づいて説明する。
【実施例１】
【００１７】
図１は、本発明の実施例である光アダプタ１の全体構成を半割りの断面状態を示す。
【００１８】
図１に示す光アダプタ１は、左右方向の二方から延在する２つの光コネクタ２、２Ａを接続する。図１には二つの光コネクタ２、２Ａが図示してあるが、一つの光コネクタを接続するいわゆるプラグ構成であってもよい。ここでは一方の光コネクタとの接続について主に説明するものとし、他方は一方の光コネクタとの接続について説明する。このため、他方の光コネクタについては一方のコネクタと部品に対応する部品に“Ａ”を付着している。２つの光コネクタ２、２Ａは、それぞれの先端にフエルール５、５Ａを備え、これらのフエルール５、５Ａが接続に用いられる。
【００１９】
図１は、光アダプタ１に光コネクタ２Ａが挿入され、双方のラッチ同士が係合（嵌合ともいう。）されて、光コネクタの正常接続がなされた状態（左半分）、及び光コネクタ２が挿入され、双方のラッチ同士が係合することなく当接した状態（係合の不成立状態で右半分）を示す。
【００２０】
図２は、図１の外観図を示し、図３は他の構成になる外観図を示す。図２及び図３において、光コネクタ２、２Ａは光ファイバ３、３Ａを内蔵する。図１においては、光コネクタ２、２Ａの一部、及び光ファイバケーブルの図示を割愛した状態を示す。
【００２１】
図１において、光アダプタ１は、外部のアダプタ本体４、内部中央に挿入された光コネクタ２、２Ａのフエルール５及びフエルール５Ａをアダプタ本体４に固定するアダプタスリーブ６から構成される。アダプタスリーブ６は、長手方向に延在する内側のスリーブ８と内側のアダプタラッチ９とこれらの支持部７からなり、スリーブ８はその内側に収容された割スリーブ１２を保持する。割スリーブは、双方のフエルール５、５Ａの軸合わせをして固定する。アダプタラッチ９は板状に伸びその先端に内方に突出する頭部９Ａを備える。
【００２２】
このように、光アダプタ１には、スリーブ８を備えたアダプタスリーブ６が内部に設けられ、アダプタスリーブ６は割スリーブ１２を保持し、割スリーブ１２の中に光コネクタ２、２Ａに設けたフエルール５、５Ａが保持される。
【００２３】
上述のように、光コネクタ２は、軸中心に接続部となる光ファイバを収容するフエルール５を備える。フエルール５の外部にフエルール５を保持する機能を備えたハウジング１１が設けられる。ハウジング１１の一部は、スリーブ８とアダプタラッチ９との間に収まり、フエルール５はスリーブ８及び割スリーブ１２の内側に収まる。フエルール５は、フエルールフランジ１５を備え、フエルールフランジ１５の外側にハウジング１１に固定されるストップリング１６が設けられ、ストップリング１６とフエルールフランジ１５との間の空間にスプリング１７が配設される。このようにして、フエルール５はフエルールフランジ１５を介してスプリング１７によって押圧され、フエルール５Ａとの間の接合がなされることになる。アダプタ本体４の内方にはハウジング１１が配設され、アダプタ本体４の長手方向の先端の開口に向けて装着されるつまみ１４が配設される。つまみ１４が開口に向けて装着され、他方側につまみ板状部１４´が備えられ、ハウジング１１を長手方向に摺動させる。ハウジング１１の摺動に伴って、挿入方向にコネクタラッチ１３が移動する。
【００２４】
内方向に向けて突出するアダプタラッチ９の頭部９Ａに対向する形でハウジング１１には外方に向けて突起した頭部１９が形成される。この頭部１９はコネクタラッチ１３を形成する。アダプタラッチ９とコネクタラッチ１３の係合によってラッチ係合機構が形成され、ラッチ係合が成されることになる。なお、頭部１９は突出しない平面状形成であっても係合のための段差を持てばよい。つまみ１４が用いられてコネクタラッチ１３が光アダプタ１の内方へ挿入されるに伴なってアダプタラッチ９の頭部９Ａがつまみ板状部１４´に乗り上げて超え、更にコネクタラッチ１３の頭部１９がアダプタラッチ９の頭部９Ａを超え、アダプタラッチ９のコネクタラッチ１３への係合が頭部同士の水平方向の段差による係合によってなされる。この係合の接続の状態が、上述したように、左半分に光コネクタ２Ａと光アダプタ１との係合状態として示される。このように２つの頭部はラッチ係合部、すなわち前述のようにラッチ係合機構を構成する。
【００２５】
この係合がなされず、アダプタラッチ９の頭部９Ａがつまみ板状部１４´に乗り上げた状態あるいは２つの頭部が垂直方向に当接するにとどまっている場合がある。この状態が半挿し（半ラッチ）と呼ばれる状態であり、右半分に光コネクタ２と光アダプタ１との半挿しの状態が示される。
【００２６】
係合状態と半挿しの状態とでは水平方向のスライド量の差は極めて小さく、つまみに表示される白線標示による係合状態確認を見落としかねない。
【００２７】
半挿しによる接続不良は、
１）接続時の双方の頭部係合によるカチッとなるまで押し込んでいない場合
２）接続後につまみ１４を引戻しすることで、半挿し状態になる場合
に生じる。
【００２８】
本実施例にあっては、以下の構成によって係合状態確認の見落しが視認され、防止される。
【００２９】
ハウジング４にはラッチ係合部に対向、対応する位置に通過孔２０、すなわち窓が設けられる。
【００３０】
光アダプタラッチ９の頭部９Ａに一体化されて連動する連結子２１が設けられる。連結子２１は、光アダプタ１に一体的に成形あるいは固着された監視箱２４内に配設される。
【００３１】
連結子２１は、頭部９Ａに、頭部９Ａの方向とは反対方向に延在して設けられた第１の連結子部２２とこの第１の連結子部２２の延在方向（頭部９Ａ方向）に形成された第２の連結子部２３とから構成される。そして、連結子２１、すなわち第１の連結子部２２は、通過孔２０を通過してハウジング１１の外方に配設された構成となる。このように、第１の連結子部２２は通過孔２０から外方へ突出する。この例では第２の連結子部２３を第１の連結子部２２の延在方向に形成した構成としているが、第２の連結子部２３を第１の連結子部２２に対して所定の角度を持つように形成してもよい。
【００３２】
第２の連結子部２３は、その先端に識別表示部２５を備える。
【００３３】
識別表示部２５は、１つの部品からなり、先端側に黄色か緑色の色彩の施された表示部（黄又は緑色彩表示部）２６、根本側に赤色の色彩の施された表示部（赤色色彩表示部）２７からなる。他の色彩を用いてもよい。また、識別表示部２５を色ごとに２つの部材で形成してもよい。このように形成された識別表示部２５は、監視箱２４内を時計の逆回転方向に回転可能とされる。すなわち、初期の角度０°から所定の角度回転可能とされる。時計方向回転としてもよい。
【００３４】
なお、ここでは第１の連結子部２２及び第２の連結子部２３のように表現したが、一つの部材で形成して全体が連結子部２１として表現することができる。
【００３５】
正常接続の状態にある場合には、２つの頭部は正常に係合しているので、２つの頭部は長手方向である水平方向に同一高さの真横に位置していてアダプタラッチ９の頭部９Ａが頭部１９によって外方に向けて浮き上がり動作されていない。アダプタラッチ９は支持部７を支点とした回動するも、２つの頭部が保持することで元の状態に復帰し、頭部９Ａを浮き上がらさせない。このため、識別表示部２５は、赤色色彩表示部２７Ａが壁内面に近傍にあって、所定の角度を示す位置の正常位置にあり、正常状態を表示する。この正常状態は監視箱２４の外側から視認され得る。
【００３６】
半挿しの状態にある場合には、２つの頭部は正常に係合していないので、頭部９Ａは頭部１９に乗りあげ、アダプタラッチ９は湾曲する。これによって、図に示すように２つの頭部の先端同士で接触し、頭部９Ａが頭部１９によって外方向に向けて頭部１９の有する高さだけ浮き上がり動作される。この状態では、アダプタラッチ９は支持部７を支点として回動し、光アダプタラッチは、上述したように板状部と頭部９Ａで構成されており、当接時に板状部の回動し、頭部１９によって頭部９Ａは浮き上がり動作が可能となる。半挿しから更に挿入されるとラッチ機構が構成され、正常状態となる。
【００３７】
頭部９Ａの浮き上がり動作に伴なって第１の連結子部２２は、通過孔２０を外方に移動動作し、板状部の回動に伴って第２の連結子部２３を回動動作させる。ここで浮き上がりというわずかな動作量の直線動作が大きな動作量の回転動作に変換される。回動する第２の連結子部２３の長さは浮き上がりを示す第１の連結子部２２の長さに比して長く形成してあり、第１の連結子部２２の浮き上がり動作による動作量は、第２の連結子部２３の回動機能によって増幅した増幅量として示され、識別表示部２５は、回転方向の増幅動作表示によって半挿しの状態を確実に表示することになる。外部から増幅動作表示は視認し易いものとなる。
【００３８】
このように、コネクタラッチ１３の頭部１９がアダプタラッチ９の頭部９Ａに係合することなく当接したときに、アダプタラッチ９の頭部９Ａが光コネクタラッチ１３の頭部１９によって浮き上がり動作され、半挿しの状態位置についてのアダプタラッチ９の浮き上がり動作量を機械的に回転増幅させることができ、識別表示部２５は、この回転動作量の位置を表示することになる。連結子２１の動作に伴って、識別表示部２５は、動作表示に際して外方に向けての直線動作を回転方向への回転動作に変更して示すので、角度方向を指向して、視認しやすい動作をする特徴がある。また、垂直方向の高さを大きくしないで済む利点がある。
【００３９】
図４は、機械的増幅を計算モデルによって示す図である。
【００４０】
図４には計算モデルと図１に対応した実際の形状の例が示してある。この例において、Ｌ２は、アダプタラッチ９を基点とした連結子２１の長手方向の長さ（連結子２１の先端から頭部９Ａの基部までの距離）、Ｌ１は、連結子２１がΔｄ＝０．８ｍｍ浮き上がったときの回転角度θをアダプタラッチ９に適用したときのθが回転前の板状部に交わる点０と頭部９Ａとの長さ、Ｌ３は、Ｏから板状部される支点（ラッチ支点）３５長さ、ｌ（エル）は、Ｌ１＋Ｌ３で６．２ｍｍに設定した長さを示し、ΔＤは上述した例の場合における回転方向動作量で機械的に回転増幅量を示す。
【００４１】
この例では、図示したように、次のようになり、機械的回転増幅が得られる。
0004588805.tif 000002
このように、Δｄ＝０．８ｍｍに対して、ΔＤを増幅し、回転方向の動作量として表示する。そして、Ｌ２を適切に選択することによって、ΔＤを１．５ｍｍ以上とすることができ、頭部９Ａの浮き上がり動作を容易に視認することができる。ΔＤの動作量を２ｍｍ以上に設定することによって、半挿しの有無を確実に視認することができる。
【００４２】
そして、この例によれば、連結子２１が、浮き上がり動作方向の長さを持つ第１の連結子部２２と、浮き上がり動作方向とは所定の角度方向を指向して長さよりも大きい倍数の長さを持つ第２の連結子部２３とから構成される光アダプタ１が構成される。
【００４３】
本実施例によれば、光アダプタ１の真横でなくても斜め方向を含む各方向からも識別表示部の表示を視認できる効果がある。
【実施例２】
【００４４】
図５は、本発明の第２の実施例の構成を示す図である。図１に示す第１の実施例と同一の構成には同一の番号が付してあり、第１の実施例の説明を援用するものとし、ここでは主に相違する部分についての説明をする。
【００４５】
第１の実施例では、連結子２１は、アダプタラッチ９と一体の第１の連結子部２２と第２の連結子部２３とで構成されていたが、本実施例では、アダプタラッチ９とは別体の第１の連結子部２２と第２の連結子部２３とで構成される。第１の連結子部２２と第２の連結子部２３は双方の頭部の当接によって回動される。第２の連結子部２３は、監視箱２４に固着された回転支点部を有し、その回転支点３１を中心として回動可能であり、回動可能な第１の連結子部２２の先端が頭部９Ａに当接する。従って、この例では回転支点３１を中心にして連結子部２１は回転する。連結子部２１は、回転支点の反対側に、板ばね３３を備える。板ばね３３は常に連結子部２１がアダプタラッチ９の頭部９Ａに接触するように作用する。
【００４６】
本例では第１の連結子部２２と第２の連結子部２３とは一体構成とし、第１の連結子部２２がアダプタラッチ９の頭部９Ａに接触するようにしているが、第１の連結子部２２と第２の連結子部２３とを別体のものとして第１の連結子部２２を頭部９Ａと一体のものとすることによっても、同等の機能をもつものとすることができる。ただ、本例の場合の方が、組立加工が容易で、既存のアダプタラッチ９を使用できるメリットがある。
【００４７】
図５において、アダプタラッチ９とコネクタラッチ１３の係合、当接による第１の連結子部２２の動作は図１に示す例と同じである。よって、頭部９Ａの頭部１９への乗り上げによって第１の連結子部２２は浮き上がり動作をする。図６において、Ｘ０は、回転支点３１と第１の連結子部２２までとの長さである。この例では図示したように各部の動作は次のようになる。
【００４８】
図６において、識別表示部２５に対向して監視箱２４に表示窓２８を設けている。このようにすると、第２の連結子部２３の回動に伴なって、黄や緑または赤のいずれかの色を外部から表示窓２８を介して識別することができ、これによって双方のラッチの係合状態を色から識別することができるようになる。
【００４９】
以上の実施例によれば、光アダプタラッチ９がコネクタラッチ１３の頭部１９に乗り上げたことによるラッチの動作を簡便に機械的に回転増幅し、また光アダプタの取り付け場所によっては斜め方向からも係合、嵌合状態を容易に視認することができる。
【００５０】
これによって、接続のための取り付け工事中に目視による半挿状態を容易に確認できるので、半挿状態で工事を終了させることを防止することができるようになる。また、ユーザーが誤ってつまみ１４を引戻して半挿し状態になったときにあっても、この半挿し状態をユーザー自身で確認することができる。
【００５１】
図７に示すように、第２の連結子部２３すなわち連結子部２１の先端が監視箱２４上に形成した監視窓３６のＯＫ、ＮＧ表示部２９にＯＫ、ＮＧ表示するようにして視認できるようにする。これによって、ＯＫ、ＮＧを監視箱２４の外方から監視窓３６を介して監視することができる。
【００５２】
図８は、識別表示の他の例を示す断面図である。
【００５３】
この例にあっては、監視箱２４の頂上付近に監視窓３６、すなわち監視孔が形成してある。連結子２１が回動すると、黄色又は緑色色彩表示部２６の黄色又は緑色が外部から識別できるようになる。
【００５４】
なお、この例では第１の連結子部２２と第２の連結子部２３とは別体構成としてある。
【００５５】
図９は、以上のようにして構成した光アダプタ１をフェイスプレート５１に取り付けた例を示す。フェイスプレート５１は、ＬＡＮや同軸用のコンセントを差し込むための差し込み口が設けられて家庭あるいは事務所内の壁等に取り付けられるもので、各種コンセントの取り付け構造を見栄えをよくするプレートとして知られている。本例の場合、フェイスプレート本体５２差し込み口５３を３個形成してあり、差し込み口５３を閉塞するカバー５４を適宜取り除いて使用に供される。
【００５６】
このようなフェイスプレート５１に、本実施例の光アダプタ１を収納するための収納部５５が表面から突出した構造で設けられる。この収納部５５には表示窓５６が設けてある。光アダプタ１をフェイスプレート５１に図に示すように取り付けた時に、監視箱２４に設けた表示窓２８が表示窓５６に一致するように配設される。すなわち表示窓５６は表示窓２８の位置に対応するようにして定められた位置に形成される。表示窓２８を天井に設けたような場合には、表示窓５６は収納部５５の側面に形成される。
【００５７】
このようにすることによって、フェイスプレート５１に光アダプタ１を取り付けたような場合にあっても容易に前述した半挿し状態を外部から視認することができることになる。
【符号の説明】
【００５８】
１…光アダプタ、２，２Ａ…光コネクタ、３，３Ａ…光ファイバケーブル、４…アダプタ本体、５…フエルール、６…アダプタスリーブ、８…スリーブ、９…光アダプタラッチ、９Ａ…頭部、１１…ハウジング、１２…割スリーブ、１３…コネクタラッチ、１５…フエルールフランジ、１９…頭部、２１…連結子、２２…第１の連結子部、２３…第２の連結子部、２４…監視箱、２５，２５Ａ…識別表示部、３１…回転支点。
【要約】
【課題】ラッチの動作を簡便に増幅し、また、光アダプタの取り付け場所によっては斜め方向からも嵌合状態を視認できるようにして、ラッチの動作を接続工事時に目視を容易に確認できるようにして、係合状態の不成立、すなわち半挿といわれる状態で工事を終了するような接続不良事故を防止する。
【解決手段】光コネクタ光アダプタが挿入されて、光コネクタラッチの頭部に光アダプタラッチの頭部が係合することなく、頭部先端同士で当接したときに、光アダプタの光アダプタラッチの頭部が光コネクタラッチの頭部によって浮き上がり動作されて、双方のラッチが係合したときと異なる半挿しの状態位置となり、前記アダプタラッチ浮き上がり動作量を機械的に回動増幅をさせ、該増幅した動作量の位置を表示するようにした。
【選択図】図５【図１】
0004588805.tif 000003
【図２】
0004588805.tif 000004
【図３】
0004588805.tif 000005
【図４】
0004588805.tif 000006
【図５】
0004588805.tif 000007
【図６】
0004588805.tif 000008
【図７】
0004588805.tif 000009
【図８】
0004588805.tif 000010
【図９】
0004588805.tif 000011